(57)【要約】      （修正有）【課題】異なる電圧の需要による延長コードの繰り返しの展開によって引き起こされるトラブルと不便を克服することが可能であり、一本だけの電線を使用してレイアウトを拡張でき、多くの異なる位相の電圧を有する多相電圧変換用延長コードを提供する。【解決手段】中空のハウジング１１を有し、ハウジングの一端には、電力入力用の４相電力プラグコネクタ１２が設けられており、ハウジングには、安全スイッチ機能付きのブレーカー１５が設けられていると共に、異なる位相の電圧を有する電力ソケット１６が少なくとも二つ設けられているソケットベース１０と、一端に４相電力が電気的に接続されており、他端は４相電力プラグコネクタに対応する導電性ケーブル２０と、ソケットベース内に設けられており、４相電力プラグコネクタ２１に接続されている、三本の位相導電性スレッドと、一本の中性線と、一本の接地線と、を含む多相電気回路と、を備える。  【選択図】図１
0003234670.tif 000002
【実用新案登録請求の範囲】
【請求項１】
中空のハウジングを有し、前記ハウジングの一端には、電力入力用の４相電力プラグコネクタが設けられており、前記ハウジングには、安全スイッチ機能付きのブレーカーが設けられていると共に、異なる位相の電圧を有する電力ソケットが少なくとも二つ設けられているソケットベースと、  
一端に４相電力が電気的に接続されており、他端は前記ソケットベースに電気的に接続されている４相電力プラグコネクタに対応する導電性ケーブルと、  
前記ソケットベース内に設けられており、４相電力プラグコネクタに接続されている、三本の位相導電性スレッドと、一本の中性線と、一本の接地線と、を含み、４相電力プラグコネクタ、ブレーカー及び前記各電力ソケットに電気的に接続するための多相電気回路と、  
を備え、  
これらの前記電力ソケットは、異なる位相および電圧の電力を供給することを特徴とする多相電圧変換用延長コード。  
【請求項２】
前記ソケットベースの電力ソケットは、少なくとも一つの三相２２０Ｖ電力ソケット、少なくとも一つの単相２２０Ｖ電力ソケット、少なくとも一つの単相１１０Ｖ電力ソケットのうちの両者、又は両者以上の組合を含むことを特徴とする、請求項１に記載の多相電圧変換用延長コード。  
【請求項３】
前記ソケットベースの電力ソケットは、一つの三相２２０Ｖ電力ソケット、一つの単相２２０Ｖ電力ソケット及び三つの単相１１０Ｖ電力ソケットを含み、前記多相電気回路において、位相導電性スレッドと中性線とは、前記ブレーカーに電気的に接続されており、前記三相２２０Ｖ電力ソケットは、前記位相導電性スレッドに電気的に接続されており、前記単相２２０Ｖ電力ソケットは、前記位相導電性スレッドのうちの何れかの二つの位相と接地線とに電気的に接続されており、三つの単相１１０Ｖ電力ソケットは、前記接地線と中性線とに電気的に接続されていると共に、前記位相導電性スレッドの一つの位相にそれぞれ電気的に接続されていて、各相の出力レベルの出力電流のバランスをとることを特徴とする、請求項１又は２に記載の多相電圧変換用延長コード。  
【請求項４】
前記ソケットベースの前記ハウジングは、互いに対向する二つのワークパネルを有し、前記多相電気回路に合わせるために、一側のワークパネルには、一つのブレーカー、一つの三相２２０Ｖ電力ソケット及び三つの単相１１０Ｖ電力ソケットが設けられており、他側のワークパネルには、一つの単相２２０Ｖ電力ソケット及び三つの単相１１０Ｖ電力ソケットが設けられていることを特徴とする、請求項１又は２に記載の多相電圧変換用延長コード。  
【請求項５】
前記ソケットベースのブレーカーと前記各電力ソケットとは、選択的にカバーすることが可能なトップカバーをそれぞれ有し、前記トップカバーにより、防塵および防水の効果を得ることができることを特徴とする、請求項１又は２に記載の多相電圧変換用延長コード。  
【請求項６】
ユーザーが位相および電圧を識別するために、前記ソケットベースの前記各電力ソケットの前記トップカバーは、異なる顔色を有することを特徴とする、請求項５に記載の多相電圧変換用延長コード。  
【請求項７】
前記導電性ケーブルは、前記ソケットベースの４相電力プラグコネクタに対応する４相電力プラグコネクタを有し、これにより、前記導電性ケーブルは、選択的に前記ソケットベースに迅速に差し込むことができることを特徴とする、請求項１に記載の多相電圧変換用延長コード。  
【請求項８】
前記導電性ケーブルの４相電力プラグコネクタは、選択的にカバーすることが可能なエンドカバーを有し、前記エンドカバーにより、防塵および防水の効果を得ることができることを特徴とする、請求項１に記載の多相電圧変換用延長コード。  
【請求項９】
前記ソケットベースの前記ハウジングの両端には、４相電力プラグコネクタがそれぞれ設けられており、これらの前記４相電力プラグコネクタは、オス・メス構造であり、導電性ケーブルを電気的に直列接続することができ、前記導電性ケーブルの両端には、前記ソケットベースのオス、メスである４相電力プラグコネクタに対向する４相電力プラグコネクタをそれぞれ有し、これにより、使用距離を増加することができることを特徴とする、請求項１に記載の多相電圧変換用延長コード。  
【請求項１０】
前記ソケットベースの前記ハウジングの底面に支持枠が設けられており、前記支持枠により、前記ソケットベースは床面に立てることができることを特徴とする、請求項１、２、７又は９に記載の多相電圧変換用延長コード。  
【考案の詳細な説明】
【技術分野】
【０００１】
本考案は、延長コードに関し、特に、工事現場または展示会場で簡単に配線することができ、ユーザーは、電力を使用する選択性が多く、電力を使用する安全性が増加する多相電圧変換用延長コードに関するものである。  
【背景技術】
【０００２】
目下、一般的な建築工事現場、又は展示会場などの大型の一時的な場所では、電力の配線がまだ完備ではなく、且つ電気設備が頻繁に変更するため、電力の利用を便利にするために、通常、固定場所に電源ボックスを設置する。前記電源ボックスは、位相配線を利用して、用電需要が異なるソケットを設け、例えば三相２２０Ｖ、単相２２０Ｖ又は単相１１０Ｖの電圧を供給するソケットを設ける。これにより、異なる電圧の電気設備に電力を供給することができる。なお、電源供給ポイントの位置が限られ、又は矩離が遠すぎるなどの要因による制限により、大型の一時的な場所での電力使用は、一般的に、延長コードを利用して、各種類の電気設備の電力使用を便利にする。  
【０００３】
しかし、従来の延長コードは、通常、単一の電圧の設計を採用する。すなわち、ある特定の電圧の電力に接続すると、その出力は上記の特定の電圧の電力に対応する。しかし、電気機器の用途要件が異なり、電力の安全性を考慮すると、さまざまな電気機器の電圧が異なる。また、上記の現場で作業する場合に、異なる電気機器が同時に使用されることが多いため、ユーザーの電力需要を満たすために、現場でさまざまな異なる電圧を有する延長コードを手配する必要がある。ただし、繰り返し配線が煩雑になり、現場スタッフが誤ってつまずくだけでなく、電気機器が間違った電圧に接続すると、事故を引き起こし、全体の電気の安全性に深刻な影響を与える可能性がある。  
【考案の概要】
【考案が解決しようとする課題】
【０００４】
本考案の主な目的は、異なる電圧の需要による延長コードの繰り返しの展開によって引き起こされるトラブルと不便を克服することが可能であり、一本だけの電線を使用してレイアウトを拡張でき、多くの異なる位相の電圧を有するソケットを提供して、電気使用の利便性を向上させることが可能な多相電圧変換用延長コードを提供することにある。  
【０００５】
本考案の次の目的は、必要しない延長コードのケーブルの数量を減少することができ、配線が便利となり、作業環境の安全性を確保することが可能な多相電圧変換用延長コードを提供することにある。  
【課題を解決するための手段】
【０００６】
本考案に係る多相電圧変換用延長コードによると、中空のハウジングを有し、ハウジングの一端には、電力入力用の４相電力プラグコネクタが設けられており、ハウジングには、安全スイッチ機能付きのブレーカーが設けられていると共に、異なる位相の電圧を有する電力ソケットが少なくとも二つ設けられているソケットベースと、  
一端に４相電力が電気的に接続されており、他端はソケットベースに電気的に接続されている４相電力プラグコネクタに対応する導電性ケーブルと、  
ソケットベース内に設けられており、４相電力プラグコネクタに接続されている、三本の位相導電性スレッドと、一本の中性線と、一本の接地線と、を含み、４相電力プラグコネクタ、ブレーカー及び各電力ソケットに電気的に接続するための多相電気回路と、  
を備え、  
これらの電力ソケットは、異なる位相および電圧の電力を供給することを特徴とする。  
【０００７】
本考案に係る多相電圧変換用延長コードによると、ソケットベースの電力ソケットは、少なくとも一つの三相２２０Ｖ電力ソケット、少なくとも一つの単相２２０Ｖ電力ソケット、少なくとも一つの単相１１０Ｖ電力ソケットのうちの両者、又は両者以上の組合を含むことを特徴とする。  
【０００８】
本考案に係る多相電圧変換用延長コードによると、ソケットベースの電力ソケットは、一つの三相２２０Ｖ電力ソケット、一つの単相２２０Ｖ電力ソケット及び三つの単相１１０Ｖ電力ソケットを含み、多相電気回路において、位相導電性スレッドと中性線とは、ブレーカーに電気的に接続されており、三相２２０Ｖ電力ソケットは、位相導電性スレッドに電気的に接続されており、単相２２０Ｖ電力ソケットは、位相導電性スレッドのうちの何れかの二つの位相と接地線とに電気的に接続されており、三つの単相１１０Ｖ電力ソケットは、接地線と中性線とに電気的に接続されていると共に、位相導電性スレッドの一つの位相にそれぞれ電気的に接続されていて、各相の出力レベルの出力電流のバランスをとることを特徴とする。  
【０００９】
本考案に係る多相電圧変換用延長コードによると、ソケットベースのハウジングは、互いに対向する二つのワークパネルを有し、多相電気回路に合わせるために、一側のワークパネルには、一つのブレーカー、一つの三相２２０Ｖ電力ソケット及び三つの単相１１０Ｖ電力ソケットが設けられており、他側のワークパネルには、一つの単相２２０Ｖ電力ソケット及び三つの単相１１０Ｖ電力ソケットが設けられていることを特徴とする。  
【００１０】
本考案に係る多相電圧変換用延長コードによると、ソケットベースのブレーカーと各電力ソケットとは、選択的にカバーすることが可能なトップカバーをそれぞれ有し、トップカバーにより、防塵および防水の効果を得ることができることを特徴とする。  
【００１１】
本考案に係る多相電圧変換用延長コードによると、ユーザーが位相および電圧を識別するために、ソケットベースの各電力ソケットのトップカバーは、異なる顔色を有することを特徴とする。  
【００１２】
本考案に係る多相電圧変換用延長コードによると、導電性ケーブルは、ソケットベースの４相電力プラグコネクタに対応する４相電力プラグコネクタを有し、これにより、導電性ケーブルは、選択的にソケットベースに迅速に差し込むことができることを特徴とする。  
【００１３】
本考案に係る多相電圧変換用延長コードによると、導電性ケーブルの４相電力プラグコネクタは、選択的にカバーすることが可能なエンドカバーを有し、エンドカバーにより、防塵および防水の効果を得ることができることを特徴とする。  
【００１４】
本考案に係る多相電圧変換用延長コードによると、ソケットベースのハウジングの両端には、４相電力プラグコネクタがそれぞれ設けられており、これらの４相電力プラグコネクタは、オス・メス構造であり、導電性ケーブルを電気的に直列接続することができ、導電性ケーブルの両端には、ソケットベースのオス、メスである４相電力プラグコネクタに対向する４相電力プラグコネクタをそれぞれ有し、これにより、使用距離を増加することができることを特徴とする。  
【００１５】
本考案に係る多相電圧変換用延長コードによると、ソケットベースのハウジングの底面に支持枠が設けられており、支持枠により、ソケットベースは床面に立てることができることを特徴とする。  
【考案の効果】
【００１６】
本考案に係る多相電圧変換用延長コードによれば、ソケットベース内にある多相電気回路を変換可能な設計により、４相電力が、単一のブレーカーで、複数の異なる位相および電圧を有する電力ソケットを構成することができ、ユーザーはニーズによって選択することができ、これにより、作業現場の一時的な配線の数量を減少することができ、作業環境での作業の利便性および安全性が向上することができるという効果を有する。  
【図面の簡単な説明】
【００１７】
【図１】本考案に係る多相電圧変換用延長コードの一実施形態の外観を示す斜視図である。
【図２】本考案に係る多相電圧変換用延長コードの一実施形態の一部を示す分解斜視図であって、各部材の態様とその相対的な関係を説明する。
【図３】本考案に係る多相電圧変換用延長コードの一実施形態を示す側面断面図であって、その組成の状態とその相対的な関係を説明する。
【図４】本考案に係る多相電圧変換用延長コードの一実施形態の電気回路の構成を示す模式図であって、各部材の態様とその相対的な関係を説明する。
【図５】本考案に係る多相電圧変換用延長コードの別の実施形態の外観を示す斜視図である。
【図６】本考案に係る多相電圧変換用延長コードの別の実施形態の他側の外観を示す斜視図である。
【図７】本考案に係る多相電圧変換用延長コードの更に別の実施形態の使用状態の外観を示す模式図である。
【考案を実施するための形態】
【００１８】
以下、本考案の実施の形態を図面に基づいて説明する。  
【００１９】
本考案は、多相電圧変換用の延長コードである。添付の図に示されている本考案の具体的な実施形態とそのコンポーネントは、すべての前後、左右、上下、上下、水平および垂直が、参考までに、説明の便宜のためにのみ使用されており、本考案は、これに限定されず、そのコンポーネントを任意の位置または空間方向に制限したりするためではない。  明細書で指定されている図とサイズは、本考案の特許出願の範囲から逸脱することなく、本考案の設計と要件に応じて変更することができる。  
【００２０】
本考案に係る多相電圧変換用延長コードは、図１、図２及び図５に示すように、ソケットベース１０と、導電性ケーブル２０と、ソケットベース１０内に設けられている多相電気回路５０と、を備え、例えば三相２２０Ｖ、単相２２０Ｖ又は単相１１０Ｖなどの複数の電圧の電力を供給することができる。  
【００２１】
詳細的には、本考案に係る延長コードは、図１、図２及び図３に示すように、ソケットベース１０が中空のハウジング１１を有し、且つハウジング１１の一端に４相電力プラグコネクタ１２が設けられており、電力を入力することができる。一方、ハウジング１１の上面はワークパネル１３を有する。ワークパネル１３には、安全スイッチ機能付きのブレーカー１５（Ｂｒｅａｋｅｒ）と、異なる位相の電圧を有する少なくとも二つの電力ソケット１６とが設けられている。これらの電力ソケット１６は、少なくとも一つの三相２２０Ｖ電力ソケット１７、少なくとも一つの単相２２０Ｖ電力ソケット１８及び少なくとも一つの単相１１０Ｖ電力ソケット１９のうちの両者または両者以上の組合を含む。本考案に係るソケットベース１０の電力ソケット１６は、一つの三相２２０Ｖ電力ソケット１７、一つの単相２２０Ｖ電力ソケット１８及び三つの単相１１０Ｖ電力ソケット１９を有することを主な実施形態とする。ブレーカー１５、三相２２０Ｖ電力ソケット１７、単相２２０Ｖ電力ソケット１８及び単相１１０Ｖ電力ソケット１９は、選択的にカバーすることが可能なトップカバー１５０，１７０，１８０，１９０をそれぞれ有する。これにより、利用しないときに、防塵および防水の効果を得ることができ、電力使用の安全性を向上することができる。トップカバー１５０，１７０，１８０，１９０の表面に、文字や顔色などを印刷することができる。これにより、ユーザーは、それに対応する位相および電圧を識別することができる。  
【００２２】
また、導電性ケーブル２０の一端は、ソケットベース１０の４相電力プラグコネクタ１２に対応する４相電力プラグコネクタ２１を有する。導電性ケーブル２０は、４相電力プラグコネクタ２１とソケットベース１０の４相電力プラグコネクタ１２とにより、選択的に迅速に差し込んで接続することができる。また、４相電力プラグコネクタ２１は、選択的にカバーすることが可能なエンドカバー２１０を有する。利用しないときに、防塵および防水の効果を得ることができ、電力使用の安全性を向上することができる。また、導電性ケーブル２０の他端に４相電力を接続することができる。上記の４相電力は、選択的に連結する機能を有する４相電力プラグコネクタ２１、又は外部に直接に直列接続する４相電力である。  
【００２３】
また、多相電気回路５０は、４相電力プラグコネクタ１２に接続されている、三本の位相導電性スレッドＲ，Ｓ，Ｔと、一本の中性線Ｎと、一本の接地線Ｇと、を備え、４相電力プラグコネクタ１２、ブレーカー１５及び各電力ソケット１６に電気的に接続することができる。なお、図４に示すように、本考案に係る多相電気回路５０は、位相導電性スレッドＲ，Ｓ，Ｔと中性線Ｎとがブレーカー１５に電気的に接続されており、三相２２０Ｖ電力ソケット１７が位相導電性スレッドＲ，Ｓ，Ｔに電気的に接続されており、単相２２０Ｖ電力ソケット１８が位相導電性スレッドＲ，Ｓ，Ｔのうちの何れかの二つの位相（例えば電圧導電性スレッドＲ，Ｓ）と接地線Ｇとに電気的に接続されており，三つの単相１１０Ｖ電力ソケット１９が、接地線Ｇと中性線Ｎとに電気的に接続されていると共に、それぞれ位相導電性スレッドＲ，Ｓ，Ｔの一つの位相に電気的に接続されていることが好ましい。これにより、各相の出力レベルの出力電流のバランスを取り、電気的安全性を確保できる。  
【００２４】
このように、異なる位相および電圧の電力を供給することができ、構成が簡単となり、安全性が高い多相電圧変換用延長コードを提供することができる。  
【００２５】
次に、本考案の使用状態を説明する。第１及び図４に示すように、実際に操作する場合に、ユーザーは、本考案に係る延長コードを、導電性ケーブル２０を介して４相電力に直列接続して、必要によって、導電性ケーブル２０を配線すると、作業環境の安全性を確保することができる。そして、導電性ケーブル２０の４相電力プラグコネクタ２１をソケットベース１０の４相電力プラグコネクタ１２に有効に差し込んだと、両者が電気的に接続して、ソケットベース１０内の多相電気回路５０により、ソケットベース１０の三相２２０Ｖ電力ソケット１７、単相２２０Ｖ電力ソケット１８及び単相１１０Ｖ電力ソケット１９が、異なる位相および電圧の電力を出力することができ、これに対応する電気設備を差し込んで電力を使用することができる。そして、ユーザーは、三相２２０Ｖ電力ソケット１７と単相２２０Ｖ電力ソケット１８と単相１１０Ｖ電力ソケット１９とのトップカバー１５０，１７０，１８０，１９０に印刷された文字や顔色により、それぞれの位相および電圧を識別することができ、電気設備の誤差込を回避することができ、電力使用の安全性を向上することができる。  
【００２６】
また、図５、図６及び図７に示すように、本考案に係る延長コードの別の実施形態では、ソケットベース１０のハウジング１１の両端には、４相電力プラグコネクタ１２，１２Ａがそれぞれ設けられており、４相電力プラグコネクタ１２，１２Ａは、オス・メス構造であり、導電性ケーブル２０により電気的に直列接続し、且つ導電性ケーブル２０両端は、ソケットベース１０のオス、メスである４相電力プラグコネクタ１２，１２Ａに対応する４相電力プラグコネクタ２１，２１Ａをそれぞれ有する。これにより、使用距離を増加することができ、且つソケットベース１０内に設けられている多相電気回路５０の三本の位相導電性スレッドＲ，Ｓ，Ｔ、一本の中性線Ｎ及び一本の接地線Ｇを利用して配線を行うと、ソケットベース１０の両側の面には、ワークパネル１３がそれぞれ設けられており、且つワークパネル１３には、安全スイッチ機能付きのブレーカー１５（Ｂｒｅａｋｅｒ）と、異なる位相を有する少なくとも二つの電力ソケット１６とが設けられている。電力ソケット１６は、少なくとも一つの三相２２０Ｖ電力ソケット１７、少なくとも一つの単相２２０Ｖ電力ソケット１８、及び少なくとも一つの単相１１０Ｖ電力ソケット１９のうちの両者または両者以上の組合を含む。なお、本実施形態では、ソケットベース１０の一側にあるワークパネル１３の電力ソケット１６は、一つの三相２２０Ｖ電力ソケット１７と三つの単相１１０Ｖ電力ソケット１９とを有し、他側にあるワークパネル１３の電力ソケット１６は、一つの単相２２０Ｖ電力ソケット１８と三つの単相１１０Ｖ電力ソケット１９とを有することを主な実施形態とする。これにより、ユーザーはもっと多くの種類の電気機器を使用することができる。  
【００２７】
そして、ソケットベース１０のハウジング１１のワークパネル１３から遠ざかった底面に支持枠３０が設けられている。支持枠３０により、ソケットベース１０を床面に立てることができ、使用の安全性および利便性を増加することができる。支持枠３０は、ハウジング１１の底面の両端に設けられているアングルプレート３１と、アングルプレート３１同士の底縁の間にある少なくとも一つの支持ロッド３２とから構成される。支持枠３０により、ソケットベース１０は、床面に安定的に立てることができ、移動および設置も便利となる。  
【００２８】
本考案に係る多相電圧変換用延長コードは、ソケットベース１０内にある多相電気回路５０を変換可能な設計により、４相電力が、単一のブレーカー１５で、複数の異なる位相および電圧（例えば三相２２０Ｖ電力ソケット１７、単相２２０Ｖ電力ソケット１８及び単相１１０Ｖ電力ソケット１９）を有する電力ソケット１６を構成することができ、ユーザーはニーズによって選択することができる。これにより、作業現場の一時的な配線の数量を減少することができ、作業環境での作業の利便性および安全性が向上する。  
【符号の説明】
【００２９】
１０  ソケットベース  
１１  ハウジング  
１２  ４相電力プラグコネクタ  
１３  ワークパネル  
１５  ブレーカー  
１５０  トップカバー  
１６  電力ソケット  
１７  三相２２０Ｖ電力ソケット  
１７０  トップカバー  
１８  単相２２０Ｖ電力ソケット  
１８０  トップカバー  
１９  単相１１０Ｖ電力ソケット  
１９０  トップカバー  
２０  導電性ケーブル  
２１  ４相電力プラグコネクタ  
２１０  エンドカバー  
５０  多相電気回路  
Ｒ，Ｓ，Ｔ  位相導電性スレッド  
Ｎ  中性線  
Ｇ  接地線  
【図１】
0003234670.tif 000003
【図２】
0003234670.tif 000004
【図３】
0003234670.tif 000005
【図４】
0003234670.tif 000006
【図５】
0003234670.tif 000007
【図６】
0003234670.tif 000008
【図７】
0003234670.tif 000009